【手続補正書】
【提出日】平成18年1月18日(2006.1.18)
【手続補正１】
【補正対象書類名】特許請求の範囲
【補正対象項目名】全文
【補正方法】変更
【補正の内容】
【特許請求の範囲】
【請求項１】
開口端と、該開口端を取り囲むリム部分と、前記開口端に設けられて第１容器を密閉する突き刺し可能なカバーとを有する第１容器と第２容器との間で流体を移転させるための移転セットであって、
前記第１容器の前記リム部分に固定された開口端と、前記第１容器のリム部分に重なって第１チューブ状部分と一体化された半径方向部分と、を有する第１チューブ状部分と、
前記第１容器の前記開口端とほぼ同軸に配置された前記突き刺し可能なカバーと重なった開口基端と、前記第２容器を受け入れるように構成された末端と、を有する第２のチューブ状部分と、
前記第２チューブ状部分の前記開口末端を間隔を空けて取り囲む開口末端と、前記第２チューブ状部分に接続する傾斜部分によって閉塞される基端部と、前記第２チューブ状部分と一体化されて前記傾斜部分と前記半径方向部分の近傍との間に延在する半径方向のウエブ部分と、を有する第３チューブ状部分と、を具えた一体的な本体と；
伸縮自在に前記第２チューブ状部分に受け入れられると共に、前記突き刺し可能なカバーに隣接する突き刺し端を有し、かつ前記第２チューブ状部分内で可動であって、前記突き刺し可能なカバーを突き破って前記第１、第２容器の間に前記第２チューブ状部分を通じて流体を流す突き刺しエレメントと；
前記第３チューブ状部分の前記開口末端部に重なってこれを密閉する取り外し可能なカバーと；
を具えた移転セット。
【請求項２】
前記第３チューブ状部分が、前記第２チューブ状部分の中間部に一体的に結合されてほぼ半径方向に拡がったブリッジ部分によって、前記第２チューブ状部分に結合されている請求項１に記載の移転セット。
【請求項３】
前記第３チューブ状部分の前記開口末端部分が、前記第２チューブ状部分の前記開口末端と同軸で且つ間隔を空けて設けられている請求項２に記載の移転セット。
【請求項４】
前記第２チューブ状部分の前記開口末端が、前記第２容器のルエル型接続部をねじ込み式に受け入れるように構成されている請求項１に記載の移転セット。
【請求項５】
前記一体化された本体の前記半径方向部分が前記突き刺し可能なカバーに重なり、前記半径方向部分は、前記第２チューブ状部分を取り囲んで前記突き刺し可能なカバーに密閉係合するほぼ同軸状に配置された複数のリブを具えている請求項１に記載の移転セット。
【請求項６】
前記同軸状のリブが円形であり、前記第２チューブ状部分と同軸に整列されている請求項５に記載の移転セット。
【請求項７】
前記同軸状のリブが、前記突き刺し可能なカバーに食い込む鋭利な刃を有する請求項５に記載の移転セット。
【請求項８】
前記半径方向部分が、前記第１チューブ状部分に隣接し、前記突き刺し可能なカバーに係合して前記移転セットが前記第１容器に対して回転することを防止する半径方向のリブを具えている請求項５に記載の移転セット。
【請求項９】
前記第１チューブ状部分の前記開口端が、前記第１容器の前記リム部分の下で半径方向に恒久的に変形し、前記移転セットを前記第１容器に対して恒久的に取り付ける請求項１に記載の移転セット。
【請求項１０】
前記突き刺し可能なエレメントが、前記本体の前記第２チューブ状部分に前記カバーによって解放可能に入れられた細長い本体部分を有する請求項１に記載の移転セット。
【請求項１１】
前記第２チューブ状部分が内部当接面を有し、前記突き刺しエレメントの前記本体部分が半径方向部分を有し、前記突き刺しエレメントが前記第２チューブ状部分から引き出されないようになっている請求項１０に記載の移転セット。
【請求項１２】
前記第２チューブ状部分の前記開口基端が、前記開口基端を取り囲んで前記突き刺し可能なカバーを密閉係合し、前記第１容器と前記第２チューブ状部分との間に密閉された連通状態を提供する軸方向に延在する逆棘を具えている請求項１０に記載の移転セット。
【請求項１３】
前記本体の前記第２チューブ状部分がほぼ円筒状をなし、前記第３チューブ状部分がベル形状をなし、前記第２チューブ状部分の前記開口末端を取り囲むリム部分と、ほぼ半径方向に内向きに延びて前記第２チューブ状部分の中間部分に一体的に結合された基端部分とを有する請求項１に記載の移転セット。
【請求項１４】
開口端と、該開口端を取り囲むリム部分と、前記開口端に設けられて第１容器を密閉する突き刺し可能なカバーとを有する第１容器と第２容器との間で流体を移転させるための移転セットであって、
前記第１容器の前記リム部分を囲み、前記第１容器の前記リム部分に固定された開口末端と基端部分を有するほぼ円筒状の第１チューブ状部分と、
前記第１チューブ状部分の基端と一体化され、半径方向に内向きに延びて前記突き刺し可能なカバーに重なった半径方向部分と、
前記第１容器の前記開口端とほぼ同軸に配置された前記突き刺し可能なカバーと重なった開口基端と、前記第２容器を受け入れるように構成された末端とを有する、前記第１容器の前記リム部分を取り囲むほぼ円筒状の第１チューブ状部分と、
前記第１容器の前記開口端とほぼ同軸に配置された前記突き刺し可能なカバーに重なった開口基端と、前記第２容器を受け入れるように構成された末端と、を有し、前記半径方向部分の半径方向延長部と一体化され、かつ前記半径方向部分に対してほぼ垂直に延在するほぼ円筒状の第２チューブ状部分と、
前記半径方向部分は前記第２チューブ状部分の前記開口基端を取り囲むほぼ同軸に配置された複数のリブを具えて前記突き刺し可能なカバーと密閉係合し、
前記第２チューブ状部分の前記開口末端を取り囲む開口末端と、前記半径方向部分から間隔を空けて前記第２チューブ状部分に一体的に結合された閉鎖された基端部分とを有する第３チューブ状部分と、を具えた一体化された本体と；
伸縮自在に前記第２チューブ状部分に受け入れられ、前記突き刺し可能なカバーに隣接する突き刺し端を有し、前記第２チューブ状部分内で可動であって、前記突き刺し可能なカバーを突き破って前記第１、第２容器の間に前記第２チューブ状部分を通じて流体を流す突き刺しエレメントと；
前記第３チューブ状部分の前記開口末端部に重なってこれを密閉する取り外し可能なカバーと；
を具えた移転セット。
【請求項１５】
前記第３チューブ状部分の前記基端部分は、前記第２チューブ状部分の中間部に一体的に結合された半径方向のブリッジ部分によって前記第２チューブ状部分に結合されている請求項１４に記載の移転セット。
【請求項１６】
前記第３チューブ状部分は、間隔を空けて前記第２チューブ状部分の前記開口末端を取り囲むリム部分と、前記第２チューブ状部分の前記中間部に一体的に結合されたほぼ半径方向に内向きに延びた部分とを有するベル形状をなしている請求項１５に記載の移転セット。
【請求項１７】
前記第２チューブ状部分の前記開口末端は、前記第２容器のねじ山付き端部を受け入れるように構成されたルエル型コネクターを具えている請求項１４に記載の移転セット。
【請求項１８】
前記複数のほぼ同軸状のリブが円形であり、前記第２チューブ状部分と同軸に整列している請求項１４に記載の移転セット。
【請求項１９】
前記複数のほぼ同軸状のリブが、前記突き刺し可能なカバーに食い込む鋭利な円形の刃を有する請求項１４に記載の移転セット。
【請求項２０】
前記半径方向部分が、前記第１チューブ状部分に隣接して前記突き刺し可能なカバーに密閉係合する半径方向のリブを有する請求項１４に記載の移転セット。
【請求項２１】
前記第１チューブ状部分の前記開口末端が、前記第１容器の前記リム部分の下で半径方向に恒久的に変形し、前記移転セットを前記第１容器に恒久的に取り付けている請求項１４に記載の移転セット。
【請求項２２】
前記突き刺しエレメントが、前記除去可能なカバーによって前記第２チューブ状部分に解放可能に保持される末端を有する細長い本体部分を具えている請求項１４に記載の移転セット。
【請求項２３】
前記第２チューブ状部分の前記開口基端が、前記突き刺し可能なカバーに密閉係合して前記第１容器と前記第２チューブ状部分との間に密閉された連通関係を提供する軸方向に延びる突刺を具えている請求項１４に記載の移転セット。
【請求項２４】
前記第３チューブ状部分の前記閉鎖された基端が傾斜した部分によって閉ざされ、前記移転セットが、更に、前記第２チューブ状部分と一体化されて前記傾斜部分と前記半径方向部分の近傍との間に延在する半径方向のウエブ部分を具えている請求項１４に記載の移転セット。